(57)【要約】  放送番組からＶＯＤに切り替えて、ＶＯＤが視聴されているときに、緊急警報が放送波に重畳されてきた場合において、一定条件下に、緊急警報の表示を行うことができ、さらに録画視聴時にはＶＯＤのみを表示可能な信号処理装置及びプログラムを提供すること。  信号処理装置４は、リモコンＲからの信号に基づいて、ディスプレイ２１に表示している放送番組から、ＡＩＴに基づいてＶＯＤコンテンツに切り替えてディスプレイ２１に表示中に、切り替える前の放送局の放送波に含まれるＴＭＣＣキャリアの緊急警報放送用起動フラグを検出したことに応じて、放送波に含まれる緊急警報放送をディスプレイ２１に表示する。さらに、信号処理装置４は、緊急警報放送の表示を優先する設定がされている場合にのみ、緊急警報放送を表示する。
2012157739.tif 000002
【特許請求の範囲】
【請求項１】
受信した信号を処理し、ディスプレイに表示する信号処理装置であって、
操作を受け付け、受け付けた操作に基づく信号を出力する操作手段と、
放送局から放送コンテンツが含まれる放送波を受信する放送波受信手段と、
コンテンツ配信サーバにアクセスし、通信コンテンツを要求する通信コンテンツアクセス手段と、
前記通信コンテンツアクセス手段により要求した通信コンテンツを受信する通信コンテンツ受信手段と、
前記放送波受信手段により受信した放送コンテンツと、前記通信コンテンツ受信手段により受信した通信コンテンツとを、前記ディスプレイに提示する画像表示制御手段と、
前記画像表示制御手段により前記ディスプレイに放送コンテンツを提示中に、前記操作手段からの信号を受け付けたことにより、放送コンテンツに多重化されているアプリケーション管理情報に基づいて前記通信コンテンツアクセス手段によりコンテンツ配信サーバにアクセスし、通信コンテンツを選択するためのメニューを前記通信コンテンツ受信手段により受信し、当該メニューの中から選択された通信コンテンツを前記通信コンテンツアクセス手段によりコンテンツ配信サーバに要求し、要求した通信コンテンツを前記通信コンテンツ受信手段により受信し、提示中の放送コンテンツから、受信した通信コンテンツに切り替えて前記ディスプレイに提示するように前記画像表示制御手段を制御する制御手段と、
前記放送波受信手段により受信している放送波を監視し、緊急信号を検出する信号監視手段と、を備え、
前記画像表示制御手段は、放送コンテンツから通信コンテンツに切り替えて前記ディスプレイに提示中に、切り替える前の放送局の放送波に含まれる緊急信号を前記信号監視手段が検出したことに応じて、放送波に含まれる緊急警報放送を前記ディスプレイに提示する、
信号処理装置。
【請求項２】
前記緊急警報放送の表示を優先するための設定をする警報優先設定手段をさらに備え、
前記画像表示制御手段は、前記警報優先設定手段によって緊急警報放送の表示を優先する設定がされている場合にのみ、放送コンテンツから通信コンテンツに切り替えて前記ディスプレイに提示中に、切り替える前の放送局の放送波に含まれる前記緊急信号を前記信号監視手段が検出したことに応じて、放送波に含まれる前記緊急警報放送を前記ディスプレイに提示する、
請求項１に記載の信号処理装置。
【請求項３】
前記画像表示制御手段は、前記緊急信号を前記信号監視手段が検出したことに応じて、放送波に含まれる前記緊急警報放送を前記ディスプレイに提示する際に、前記制御手段が前記通信コンテンツアクセス手段により前記コンテンツ配信サーバにアクセスし、前記コンテンツ配信サーバが前記通信コンテンツの送信を中断するように、前記制御手段を制御する、
請求項１又は２に記載の信号処理装置。
【請求項４】
前記信号監視手段は、前記緊急信号を検出した後に、当該緊急信号を検出しない状態をさらに検出し、
前記画像表示制御手段は、前記検出しない状態を前記信号監視手段が検出したことに応じて、前記制御手段が前記通信コンテンツアクセス手段により前記コンテンツ配信サーバにアクセスし、前記コンテンツ配信サーバが中断した前記通信コンテンツの送信を再開するように、前記制御手段を制御する、
請求項３に記載の信号処理装置。
【請求項５】
前記制御手段は、再開の操作を受け付けた前記操作手段が出力した信号に応じて、前記通信コンテンツアクセス手段により前記コンテンツ配信サーバにアクセスし、前記コンテンツ配信サーバが中断した前記通信コンテンツの送信を再開するように制御する、
請求項３又は４に記載の信号処理装置。
【請求項６】
受信した信号を処理し、ディスプレイに表示する信号処理プログラムであって、
前記信号処理プログラムは、
操作を受け付け、受け付けた操作に基づく信号を出力する操作手段と、
放送局から放送コンテンツが含まれる放送波を受信する放送波受信手段と、
コンテンツ配信サーバにアクセスし、通信コンテンツを要求する通信コンテンツアクセス手段と、
前記通信コンテンツアクセス手段により要求した通信コンテンツを受信する通信コンテンツ受信手段と、
前記放送波受信手段により受信した放送コンテンツと、前記通信コンテンツ受信手段により受信した通信コンテンツとを、前記ディスプレイに提示する画像表示制御手段と、
前記画像表示制御手段により前記ディスプレイに放送コンテンツを提示中に、前記操作手段からの信号を受け付けたことにより、放送コンテンツに多重化されているアプリケーション管理情報に基づいて前記通信コンテンツアクセス手段によりコンテンツ配信サーバにアクセスし、通信コンテンツを選択するためのメニューを前記通信コンテンツ受信手段により受信し、当該メニューの中から選択された通信コンテンツを前記通信コンテンツアクセス手段によりコンテンツ配信サーバに要求し、要求した通信コンテンツを前記通信コンテンツ受信手段により受信し、提示中の放送コンテンツから、受信した通信コンテンツに切り替えて前記ディスプレイに提示するように前記画像表示制御手段を制御する制御手段と、
前記放送波受信手段により受信している放送波を監視し、緊急信号を検出する信号監視手段と、を備えるコンピュータを、
前記画像表示制御手段が、放送コンテンツから通信コンテンツに切り替えて前記ディスプレイに提示中に、切り替える前の放送局の放送波に含まれる緊急信号を前記信号監視手段が検出したことに応じて、放送波に含まれる緊急警報放送を前記ディスプレイに提示する信号処理装置として機能させる前記信号処理プログラム。
【発明の詳細な説明】
【技術分野】
【０００１】
本発明は、放送と通信の連携を図る機能を有する信号処理装置及びプログラムに関する。
【背景技術】
【０００２】
従来から、緊急警報放送には、テレビジョン放送やラジオ放送において、地震や津波等の災害が発生したとき、いち早く視聴者に伝達できるようにする仕組みが設けられている。
例えば、日本の地上デジタルテレビジョン放送であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ、ＡＲＩＢ規格ＳＴＤ‐Ｂ３１）方式においては、ＴＭＣＣ（Ｔｒａｎｓｍｉｓｓｉｏｎａｎｄ  Ｍｕｌｔｉｐｌｅｘｉｎｇ  Ｃｏｎｆｉｇｕｒａｔｉｏｎ  Ｃｏｎｔｒｏｌ：伝送制御）キャリアは緊急警報放送用起動フラグを有している。そして、ＩＳＤＢ−Ｔ方式の地上デジタルテレビジョン受信機は、該受信機の電源が入っていない場合に、ＴＭＣＣキャリアに格納される緊急警報放送用起動フラグを検出する伝送制御信号受信回路を備えることにより、緊急警報放送用起動フラグが１（「起動制御あり（緊急警報放送あり）」に対応する）のとき、受信機の電源を投入し、受信機のユーザに緊急警報放送の視聴を促すことができる。【０００３】
このような緊急警報放送の仕組みを利用して、緊急地震速報等を迅速、かつ、タイミング同期が不十分な場合にも確実に伝達するようにした特許文献１が知られている。特許文献１に開示された発明は、緊急警報放送が発せられたことを示す符号列と、緊急速報とを格納する電文情報を含むＡＣ信号を抽出し、符号列について相関演算し、判別したフラグが緊急速報のフラグである場合にのみ、警告を発する。【０００４】
ところで、近年、放送のデジタル化と通信のブロードバンド化の進展に伴い、放送通信連携サービスの実現に向けた研究開発が行われている。【０００５】
この放送通信連携サービスにおいては、放送と通信という異なる伝送路を用いて複数のコンテンツを配信し、デジタルテレビ等の受信機において、配信された複数のコンテンツを統合して提示する形態が想定される。
【先行技術文献】
【特許文献】
【０００６】
【特許文献１】特開２００９−２７２９５４号公報
【発明の概要】
【発明が解決しようとする課題】
【０００７】
このような、複数のコンテンツを統合して提示することができる信号処理装置において、例えば、視聴者が放送番組を視聴中に、放送波に含まれているアプリケーション管理情報に基づいて表示されるメニューからＶＯＤ（ｖｉｄｅｏ  ｏｎ  ｄｅｍａｎｄ）を選択し、放送番組から、ＶＯＤサーバが配信するドラマ等に切り替えて、視聴する形態が考えられる。【０００８】
この形態において、視聴者が放送番組を視聴中のままであれば、地震等の発生に伴う緊急警報が放送波に重畳されてきた場合には、放送番組に重畳して緊急警報が表示されるが、ＶＯＤに切り替えて視聴中の場合、放送番組に重畳している緊急警報は表示されない。
ここで、視聴者は、放送番組からＶＯＤに切り替えて、ＶＯＤを視聴しているときに、緊急警報が放送波に重畳されてきた場合には、ＶＯＤの視聴画面に緊急警報の表示を望む場合がある。また、そのＶＯＤを録画視聴する際には、放送からの緊急警報情報は表示せずＶＯＤのみの表示を望む場合もある。【０００９】
そこで、本発明では、放送番組からＶＯＤに切り替えて、ＶＯＤが視聴されているときに、緊急警報が放送波に重畳されてきた場合において、一定条件下に、緊急警報の表示を行うことができ、さらに録画視聴時にはＶＯＤのみを表示可能な信号処理装置及びプログラムを提供することを一つの目的とする。
【課題を解決するための手段】
【００１０】
本発明に係る信号処理装置は、受信した信号を処理し、ディスプレイに表示する信号処理装置であって、操作を受け付け、受け付けた操作に基づく信号を出力する操作手段と、放送局から放送コンテンツが含まれる放送波を受信する放送波受信手段と、コンテンツ配信サーバにアクセスし、通信コンテンツを要求する通信コンテンツアクセス手段と、前記通信コンテンツアクセス手段により要求した通信コンテンツを受信する通信コンテンツ受信手段と、前記放送波受信手段により受信した放送コンテンツと、前記通信コンテンツ受信手段により受信した通信コンテンツとを、前記ディスプレイに提示する画像表示制御手段と、前記画像表示制御手段により前記ディスプレイに放送コンテンツを提示中に、前記操作手段からの信号を受け付けたことにより、放送コンテンツに多重化されているアプリケーション管理情報に基づいて前記通信コンテンツアクセス手段によりコンテンツ配信サーバにアクセスし、通信コンテンツを選択するためのメニューを前記通信コンテンツ受信手段により受信し、当該メニューの中から選択された通信コンテンツを前記通信コンテンツアクセス手段によりコンテンツ配信サーバに要求し、要求した通信コンテンツを前記通信コンテンツ受信手段により受信し、提示中の放送コンテンツから、受信した通信コンテンツに切り替えて前記ディスプレイに提示するように前記画像表示制御手段を制御する制御手段と、前記放送波受信手段により受信している放送波を監視し、緊急信号を検出する信号監視手段と、を備え、前記画像表示制御手段は、放送コンテンツから通信コンテンツに切り替えて前記ディスプレイに提示中に、切り替える前の放送局の放送波に含まれる緊急信号を前記信号監視手段が検出したことに応じて、放送波に含まれる緊急警報放送を前記ディスプレイに提示する構成とした。【００１１】
かかる構成によれば、本発明に係る信号処理装置は、操作部からの信号に基づいて、ディスプレイに提示している放送コンテンツから、アプリケーション管理情報に基づいて通信コンテンツに切り替えてディスプレイに提示中に、切り替える前の放送局の放送波に含まれる緊急信号を検出したことに応じて、放送波に含まれる緊急警報放送をディスプレイに表示する。
したがって、本発明に係る信号処理装置は、放送コンテンツから通信コンテンツに切り替えて、通信コンテンツ（例えば、ＶＯＤ）が視聴されているときに、切り替える前の放送局の放送波に含まれる緊急信号を検出したことを条件として、緊急警報の表示を行うことができる。【００１２】
また、信号処理装置では、前記緊急警報放送の表示を優先するための設定をする警報優先設定手段をさらに備え、前記画像表示制御手段は、前記警報優先設定手段によって緊急警報放送の表示を優先する設定がされている場合にのみ、放送コンテンツから通信コンテンツに切り替えて前記ディスプレイに提示中に、切り替える前の放送局の放送波に含まれる前記緊急信号を前記信号監視手段が検出したことに応じて、放送波に含まれる前記緊急警報放送を前記ディスプレイに提示する構成でも良い。【００１３】
かかる構成によれば、本発明に係る信号処理装置は、緊急信号（例えば、ＴＭＣＣ信号）を検出し、緊急警報放送の表示を優先する設定がされている場合にのみ、緊急警報放送をディスプレイに表示する。
したがって、本発明に係る信号処理装置は、視聴者が通信コンテンツ（例えば、ＶＯＤ）を視聴中であっても緊急警報放送の表示を望む場合にのみ、緊急警報放送の表示を表示することができ、また、緊急警報放送の表示を優先するための設定をしなければ、ＶＯＤのみを表示可能とすることもできる。【００１４】
また、信号処理装置では、前記画像表示制御手段は、前記緊急信号を前記信号監視手段が検出したことに応じて、放送波に含まれる前記緊急警報放送を前記ディスプレイに提示する際に、前記制御手段が前記通信コンテンツアクセス手段により前記コンテンツ配信サーバにアクセスし、前記コンテンツ配信サーバが前記通信コンテンツの送信を中断するように、前記制御手段を制御する構成でも良い。【００１５】
かかる構成によれば、本発明に係る信号処理装置は、放送コンテンツから通信コンテンツに切り替えて、通信コンテンツ（例えば、ＶＯＤ）が視聴されているときに、切り替える前の放送局の放送波に含まれる緊急信号を検出したことを条件として、通信コンテンツ（例えば、ＶＯＤ）の表示を中断して、緊急警報の表示をすることができる。【００１６】
また、信号処理装置では、前記信号監視手段は、前記緊急信号を検出した後に、当該緊急信号を検出しない状態をさらに検出し、前記画像表示制御手段は、前記検出しない状態を前記信号監視手段が検出したことに応じて、前記制御手段が前記通信コンテンツアクセス手段により前記コンテンツ配信サーバにアクセスし、前記コンテンツ配信サーバが中断した前記通信コンテンツの送信を再開するように、前記制御手段を制御する構成でも良い。【００１７】
かかる構成によれば、本発明に係る信号処理装置は、通信コンテンツ（例えば、ＶＯＤ）の表示を中断して緊急警報の表示をしているときに、緊急信号のＯＦＦにより自動で、通信コンテンツ（例えば、ＶＯＤ）の表示を再開することができる。【００１８】
また、信号処理装置では、前記制御手段は、再開の操作を受け付けた前記操作手段が出力した信号に応じて、前記通信コンテンツアクセス手段により前記コンテンツ配信サーバにアクセスし、前記コンテンツ配信サーバが中断した前記通信コンテンツの送信を再開するように制御する構成でも良い。【００１９】
かかる構成によれば、本発明に係る信号処理装置は、通信コンテンツ（例えば、ＶＯＤ）の表示を中断して緊急警報の表示をしているときに、視聴者の操作により、通信コンテンツ（例えば、ＶＯＤ）の表示を再開することができる。【００２０】
また、本発明に係る信号処理プログラムは、受信した信号を処理し、ディスプレイに表示する信号処理プログラムであって、前記信号処理プログラムは、操作を受け付け、受け付けた操作に基づく信号を出力する操作手段と、放送局から放送コンテンツが含まれる放送波を受信する放送波受信手段と、コンテンツ配信サーバにアクセスし、通信コンテンツを要求する通信コンテンツアクセス手段と、前記通信コンテンツアクセス手段により要求した通信コンテンツを受信する通信コンテンツ受信手段と、前記放送波受信手段により受信した放送コンテンツと、前記通信コンテンツ受信手段により受信した通信コンテンツとを、前記ディスプレイに提示する画像表示制御手段と、前記画像表示制御手段により前記ディスプレイに放送コンテンツを提示中に、前記操作手段からの信号を受け付けたことにより、放送コンテンツに多重化されているアプリケーション管理情報に基づいて前記通信コンテンツアクセス手段によりコンテンツ配信サーバにアクセスし、通信コンテンツを選択するためのメニューを前記通信コンテンツ受信手段により受信し、当該メニューの中から選択された通信コンテンツを前記通信コンテンツアクセス手段によりコンテンツ配信サーバに要求し、要求した通信コンテンツを前記通信コンテンツ受信手段により受信し、提示中の放送コンテンツから、受信した通信コンテンツに切り替えて前記ディスプレイに提示するように前記画像表示制御手段を制御する制御手段と、前記放送波受信手段により受信している放送波を監視し、緊急信号を検出する信号監視手段と、を備え、コンピュータを、前記画像表示制御手段が、放送コンテンツから通信コンテンツに切り替えて前記ディスプレイに提示中に、切り替える前の放送局の放送波に含まれる緊急信号を前記信号監視手段が検出したことに応じて、放送波に含まれる緊急警報放送を前記ディスプレイに提示する信号処理装置として機能させる。【００２１】
かかる構成によれば、本発明に係る信号処理プログラムは、放送コンテンツから通信コンテンツに切り替えて、通信コンテンツ（例えば、ＶＯＤ）が視聴されているときに、切り替える前の放送局の放送波に含まれる緊急信号を検出したことを条件として、緊急警報の表示を行うことができる信号処理装置としてコンピュータを機能させることができる。
【発明の効果】
【００２２】
本発明によれば、放送番組からＶＯＤに切り替えて、ＶＯＤが視聴されているときに、緊急警報が放送波に重畳されてきた場合において、一定条件下に、緊急警報の表示を行うことができる。また、本発明によれば、ＶＯＤを録画視聴する際には、放送からの緊急警報情報は表示せずＶＯＤのみの表示も可能となる。
【図面の簡単な説明】
【００２３】
【図１】放送通信連携システムの全体構成図である。
【図２】デジタル放送に係る放送信号の伝送プロトコルのスタックを示す図である。
【図３】信号処理装置の機能構成を示すブロック図である。
【図４】ＸＭＬ形式で記述されたＡＩＴの一例を示す図である。
【図５】本発明の一実施形態に係る信号処理装置の処理内容を示すフローチャートである。
【図６】図５に続くフローチャートである。
【図７】本発明の一実施形態に係る信号処理装置による表示の例を示す図である。
【図８】本発明の一実施形態に係る信号処理装置による表示の別の例を示す図である。
【発明を実施するための形態】
【００２４】
以下、本発明の実施の形態について図面を参照して説明する。
図１は、本発明の一実施形態に係る放送通信連携システム１００の全体構成図である。放送通信連携システム１００は、放送局１と、放送用アンテナ２と、サービスサーバ３（配信サーバ）と、信号処理装置４とを含んで構成される。この放送通信連携システム１００では、信号処理装置４において、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ：統合デジタル放送サービス）方式によって放送局１から提供される放送サービスと、インターネット等により構成される通信ネットワークＮを介してサービスサーバ３から提供される通信サービスとを連携し、放送通信連携サービスとして信号処理装置４のユーザに提供する。
【００２５】
放送局１は、番組編成設備と、番組送出設備と、送信設備とを含んで構成される一般的なデジタル放送用の放送設備（図示省略）を備える。
放送局１は、放送設備によって、コンテンツや、イベント情報（Ｅｖｅｎｔ  Ｉｎｆｏｒｍａｔｉｏｎ  Ｔａｂｌｅ：ＥＩＴ）や、アプリケーション管理情報（Ａｐｐｌｉｃａｔｉｏｎ  Ｉｎｆｏｒｍａｔｉｏｎ  Ｔａｂｌｅ：ＡＩＴ）等を制作する。そして、放送局１は、放送設備によって、これらコンテンツ、イベント情報及びＡＩＴ等を放送信号に多重化する。そして、放送局１は、放送設備によって、この放送信号を放送波に変調し、放送用アンテナ２を介して放送波を放送する。
【００２６】
放送局１から放送される放送波に含まれるコンテンツには、放送スケジュールに従って放送され映像や音声を含んで構成されるコンテンツである番組コンテンツや、番組コンテンツとは非同期に発生する緊急地震速報等のコンテンツである緊急コンテンツ等が含まれる。放送波に含まれるコンテンツを特に区別しない場合、後述する通信コンテンツに対し放送コンテンツともいう。
【００２７】
イベント情報は、番組コンテンツの名称、番組コンテンツの放送日時、番組コンテンツの説明等、コンテンツに関するメタ情報を含む。以下、イベント情報をＥＩＴという。
ＡＩＴは、番組コンテンツに連動するコンテンツを信号処理装置４に提供可能なアプリケーションプログラム（以下、アプリケーションと記載する）を１又は複数管理するための管理情報である。ＡＩＴには、１又は複数のアプリケーションそれぞれに対応し、１又は複数のアプリケーションそれぞれを管理するための個別管理情報が、１又は複数含まれる。個別管理情報には、アプリケーションを識別するアプリケーションＩＤや、アプリケーションのライフサイクルを制御するライフサイクル制御情報や、アプリケーションの所在を示すロケーション情報が含まれている（図４参照）。
【００２８】
アプリケーションにより提供されるコンテンツには、番組コンテンツに連動するコンテンツ及び番組コンテンツに連動しないコンテンツが含まれる。以下、アプリケーションにより提供されるコンテンツをアプリ用コンテンツという。また、番組コンテンツに連動しないコンテンツを上述の放送コンテンツに対し通信コンテンツともいう。
【００２９】
放送信号は、従来のデジタル放送の放送信号と同一であり、ＡＲＩＢ（登録商標）（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ：社団法人電波産業会）標準規格で規定される。
【００３０】
図２は、デジタル放送に係る放送信号の伝送プロトコルのスタックを示す図である。図２に示すように、デジタル放送によって提供される映像、音声等の各種データは、国際標準規格ＭＰＥＧ−２  Ｓｙｓｔｅｍｓで規定されるＴＳパケット（トランスポートストリームパケット）に格納されて、時分割で多重伝送される。
【００３１】
ＴＳパケットには、図２に示すように、セクションに対してＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）が規定されている。ＰＳＩ／ＳＩには、ＴＳパケットに格納されているデータの種別を示す情報や、コンテンツの種別を示す情報が含まれている。上述のＥＩＴは、ＳＩに含まれている。
【００３２】
ＴＳパケットによるデータ伝送は、セクションを用いてデータを伝送する方式とＰＥＳ（Ｐａｃｋｅｔｉｚｅｄ  Ｅｌｅｍｅｎｔａｒｙ  Ｓｔｒｅａｍ）パケットを用いてデータを伝送する方式（データストリーム伝送方式）とに分類される。
【００３３】
セクションを用いてデータを伝送する方式には、データカルーセル伝送方式と、イベントメッセージ伝送方式がある。
【００３４】
データカルーセル伝送方式は、１又は複数のデータを一定周期で繰り返し伝送される伝送方式であり、この伝送方式によって伝送される個々のデータ（モジュール）には個々のデータを識別するための識別情報が付されている。データカルーセル伝送方式は、信号処理装置４側に個々のデータを任意のタイミングで取得させることを目的として用いられる。
【００３５】
イベントメッセージ伝送方式は、放送局１から信号処理装置４に対して、トリガ信号を送るための方式である。イベントメッセージ伝送方式は、データ量が少ないメッセージを放送局１から信号処理装置４に伝送する場合に用いられる。
【００３６】
データストリーム伝送方式は、伝送するデータをＰＥＳパケットに収容してストリームとして伝送する伝送方式である。データストリーム伝送方式は、映像、音声、字幕データ等のリアルタイム型のデータや、他のストリームとの同期を要するデータの伝送に用いられる。
【００３７】
ここで、ＡＩＴは、ＴＳパケットを用いて様々な方法によって伝送可能である。
すなわち、ＡＩＴは、ＴＳパケットのＳＩに含まれるＥＩＴに対して記述することによって伝送可能である。
【００３８】
また、ＡＩＴは、セクションを用いてデータカルーセル伝送方式により伝送可能である。ＡＩＴをデータカルーセル伝送方式により伝送する場合、信号処理装置４側でＡＩＴであることを認識できるようにモジュールに対して識別情報が付される。
【００３９】
また、ＡＩＴは、ＰＥＳとしてコンテンツの映像や音声に多重させて伝送可能である。
【００４０】
また、ＡＩＴは、バイナリ表現又はＸＭＬ（Ｅｘｔｅｎｓｉｂｌｅ  Ｍａｒｋｕｐ  Ｌａｎｇｕａｇｅ）によるテキスト表現で記述して、ＴＳパケットに格納することができる。
本実施形態では、ＡＩＴの伝送方法は、上記の伝送方法の少なくともいずれかに予め規定されているものとする。
【００４１】
マルチメディア符号化（ＢＭＬ：Ｂｒｏａｄｃａｓｔ  Ｍａｒｋｕｐ  Ｌａｎｇｕａｇｅ）は、Ｗ３Ｃ（登録商標）（Ｗｏｒｌｄ  Ｗｉｄｅ  Ｗｅｂ  Ｃｏｎｓｏｒｔｉｕｍ）が定義したｘＨＴＭＬを基礎とし、手続き型言語にはＪａｖａＳｃｒｉｐｔ（登録商標）を基礎としたＥＣＭＡＳｃｒｉｐｔを用いて国際標準との整合性を考慮して定義された規格である。
【００４２】
サービスサーバ３は、図示は省略するが、番組コンテンツや、アプリケーションに対して配信するコンテンツ（アプリ用コンテンツ）を配信するコンテンツ配信サーバと、信号処理装置４で動作する各種のアプリケーションを配信するアプリケーション配信サーバとを備える。
【００４３】
サービスサーバ３は、放送局１の設備と通信可能に接続されており、放送局１から番組コンテンツや、番組コンテンツのメタデータを受信する。
サービスサーバ３は、信号処理装置４から番組コンテンツの取得要求を受け付けたことに応じて、信号処理装置４に対して番組コンテンツを送信する。
【００４４】
また、サービスサーバ３は、信号処理装置４からアプリケーションの取得要求を受け付けたことに応じて、信号処理装置４に対してアプリケーションを送信する。さらに、サービスサーバ３は、信号処理装置４においてアプリケーションが実行されている場合に、アプリ用コンテンツの映像データや音声データ等を信号処理装置４に送信する。
【００４５】
また、サービスサーバ３は、ＡＩＴを番組コンテンツに対して多重化させて信号処理装置４に送信する。また、サービスサーバ３は、信号処理装置４からＡＩＴの取得要求を受け付けたことに応じて、信号処理装置４に対してＡＩＴを送信する。
【００４６】
信号処理装置４は、放送局１からの放送又はサービスサーバ３との通信を介して受信する番組コンテンツに対して所定の処理を行うことにより、番組コンテンツの映像データ及び音声データを同期して出力する。また、信号処理装置４は、ＡＩＴに基づいてアプリケーションを取得し、取得したアプリケーションを実行する。続いて、信号処理装置４は、実行されているアプリケーションによってサービスサーバ３からアプリ用コンテンツの映像データや音声データ等を取得し、番組コンテンツの映像データ及び音声データに連携させて出力する。以下に、信号処理装置４の機能について詳述する。
【００４７】
図３は、信号処理装置４の機能構成を示すブロック図である。
信号処理装置４は、放送波受信手段としての放送波受信部１１と、第１分離部１２と、放送ＡＩＴ取得部１３と、通信部１４と、第２分離部１５と、通信ＡＩＴ取得部１６と、アプリケーション実行制御部１７と、音声制御部１８と、画像表示制御手段としての表示制御部１９と、スピーカ２０と、ディスプレイ２１と、メモリ２２と、ＡＩＴ記憶部２３とを備え、さらに、信号監視手段としての信号監視部３１と、通信コンテンツアクセス手段としての通信コンテンツアクセス部３２と、通信コンテンツ受信手段としての通信コンテンツ受信部３３と、警報優先設定手段としての警報優先設定部３４とを備えている。信号処理装置４の機能の説明では、通信コンテンツとしてＶＯＤコンテンツを、ＶＯＤコンテンツを配信するサービスサーバ３の一つであるＶＯＤ配信サーバ（不図示）を実施例とする。
【００４８】
放送波受信部１１は、放送用アンテナ２を介して放送局１から放送されている放送波を受信する。
【００４９】
第１分離部１２は、放送波受信部１１により受信した放送波を復調し、放送波から放送信号、すなわち、ＴＳパケットを抽出する。そして、第１分離部１２は、ＴＳパケットのＰＳＩ／ＳＩを参照して、ＴＳパケットに含まれているデータの種別を判別し、映像、音声、ＥＩＴ等の各種データを抽出する。また、第１分離部１２は、予め規定されているＡＩＴの伝送方法に応じて、セクション及びＰＥＳを参照してＡＩＴを抽出する。
【００５０】
続いて、第１分離部１２は、ＴＳパケットのＰＥＳに含まれているデータが音声データである場合、この音声データを音声制御部１８に出力する。また、第１分離部１２は、ＴＳパケットのＰＥＳに含まれているデータが映像データである場合、この映像データを表示制御部１９に出力する。
【００５１】
また、第１分離部１２は、抽出したＥＩＴやその他の各種データをメモリ２２に記憶させる。また、第１分離部１２は、ＡＩＴを抽出した場合、抽出したＡＩＴを放送ＡＩＴ取得部１３に出力する。
【００５２】
放送ＡＩＴ取得部１３は、第１分離部１２から出力されたＡＩＴを取得し、ＡＩＴ記憶部２３に記憶させる。
【００５３】
通信部１４は、通信ネットワークＮを介してサービスサーバ３とデータの送受信を行う通信インタフェースである。
【００５４】
第２分離部１５は、通信部１４により受信されたデータの種別を判別する。第２分離部１５は、受信したデータがＡＩＴであると判別した場合、このＡＩＴを通信ＡＩＴ取得部１６に出力する。また、第２分離部１５は、受信したデータがアプリケーションであると判別した場合、このアプリケーションをアプリケーション実行制御部１７に出力する。
【００５５】
例えば、第２分離部１５は、受信したデータがＴＳパケットであると判別した場合、映像、音声、ＡＩＴ等の各種データをＴＳパケットから抽出する。そして、第２分離部１５は、ＡＩＴを抽出した場合、このＡＩＴを通信ＡＩＴ取得部１６に出力し、ＡＩＴ以外のデータを抽出した場合、このデータをアプリケーション実行制御部１７に出力する。
【００５６】
通信ＡＩＴ取得部１６は、第２分離部１５から出力されたＡＩＴを取得し、ＡＩＴ記憶部２３に記憶させる。
【００５７】
アプリケーション実行制御部１７は、ＡＩＴ又はリモコンＲを介したユーザの実行指示に基づいてアプリケーションを取得し、取得したアプリケーションの実行を制御する。そして、アプリケーション実行制御部１７は、アプリケーションの実行によってサービスサーバ３から取得されたアプリ用コンテンツの音声データを音声制御部１８に出力するとともに、サービスサーバ３から取得されたアプリ用コンテンツの映像データを表示制御部１９に出力する。
【００５８】
図４は、ＸＭＬ形式で記述されたＡＩＴの一例を示す図である。上述したように、ＡＩＴには、１又は複数のアプリケーションそれぞれに対応し、１又は複数のアプリケーションそれぞれを管理するための個別管理情報が１又は複数含まれる。
具体的には、図４に示される＜ｍｈｐ：Ａｐｐｌｉｃａｔｉｏｎ＞タグから＜／ｍｈｐ：Ａｐｐｌｉｃａｔｉｏｎ＞タグまでに記述されているコードは、一のアプリケーションに関する個別管理情報に対応している。ＡＩＴには、＜／ｍｈｐ：Ａｐｐｌｉｃａｔｉｏｎ＞タグの後に、他のアプリケーションの個別管理情報を新たに記述することによって、複数の個別管理情報を記述することができる。
【００５９】
また、個別管理情報に対応するコードのうち、例えば、＜ｍｈｐ：ａｐｐＩｄ＞タグに対応するコードは、アプリケーションのＩＤ（識別情報）を示している。また、＜ｍｈｐ：ｃｏｎｔｒｏｌＣｏｄｅ  ｍｈｐ：ｔｙｐｅ＝“ＡＲＩＢ−Ｊ”＞タグに対応するコードは、このアプリケーションのライフサイクル制御情報を示しており、図４に示される「ＡＵＴＯＳＴＡＲＴ」は、信号処理装置４によってアプリケーションを自動実行させるライフサイクル制御情報である。また、＜ｍｈｐ：ｌｏｃａｔｉｏｎ＞タグに対応するコードは、このアプリケーションの所在を示すロケーション情報を示している。図４に示されるように、ロケーション情報には、アプリケーションの所在として、サービスサーバ３のアドレスが記述されている。なお、ロケーション情報には、アプリケーションの所在として、信号処理装置４を指定することもできる。
【００６０】
アプリケーション実行制御部１７は、ＡＩＴ記憶部２３を監視し、新たにＡＩＴが記憶された場合に、このＡＩＴに記述されているライフサイクルに係る制御情報を参照する。そして、アプリケーション実行制御部１７は、ライフサイクルに係る制御情報が「自動実行」を示すものである場合、ＡＩＴに記述されているロケーション情報をアプリケーションの取得先として、通信部１４及び第２分離部１５を介してサービスサーバ３からアプリケーションを取得し、取得したアプリケーションを実行する。この場合、アプリケーションは、信号処理装置４のユーザから明示的な操作指示を受けることなく自動的に実行される。
【００６１】
また、アプリケーション実行制御部１７は、信号処理装置４のユーザからリモコンＲを介してアプリケーションの実行指示を受け付ける。例えば、リモコンＲには、Ｈｙｂｒｉｄｃａｓｔ（登録商標）ボタンが設けられており、アプリケーション実行制御部１７は、信号処理装置４のユーザによってＨｙｂｒｉｄｃａｓｔボタンが押下されたことに応じて、実行するアプリケーションの選択を受け付けるためのメニュー画面の実行指示を受け付ける。アプリケーション実行制御部１７は、メニュー画面の実行指示を受け付けたことに応じて、ＡＩＴ記憶部２３を参照し、実行可能なアプリケーションのＡＩＴを特定する。そして、アプリケーション実行制御部１７は、特定したＡＩＴに対応するアプリケーションを選択可能なメニュー画面を構成する映像データを表示制御部１９に出力して、このメニュー画面をディスプレイ２１に表示させる。信号処理装置４のユーザからリモコンＲを介してアプリケーションの選択操作を受け付けた場合、アプリケーション実行制御部１７は、ＡＩＴに記述された当該アプリケーションのロケーション情報を参照してアプリケーションを取得し、アプリケーションを実行する。
【００６２】
アプリケーションは、アプリケーション実行制御部１７に対して、アプリ用コンテンツの映像データ及び音声データをサービスサーバ３から取得させる。そして、アプリケーション実行制御部１７は、アプリケーションによって取得したアプリ用コンテンツの音声データを音声制御部１８に出力するとともに、アプリケーションによって取得したアプリ用コンテンツの映像データを表示制御部１９に出力する。ここで、アプリケーションが番組コンテンツに連動するアプリコンテンツを提供するアプリケーションである場合には、アプリ用コンテンツの映像データ及び音声データが番組コンテンツの映像データ及び音声データに連動してディスプレイ２１に表示される。
【００６３】
また、アプリケーション実行制御部１７は、ＡＩＴ記憶部２３を監視し、実行中のアプリケーションに対応する個別管理情報を記述したＡＩＴが新たにＡＩＴ記憶部２３に記憶された場合、この個別管理情報に含まれるライフサイクル制御情報に基づいて、実行中のアプリケーションを制御する。例えば、アプリケーションのライフサイクル制御情報が「終了」を示すものであるとき、アプリケーションを終了させる。
【００６４】
音声制御部１８は、第１分離部１２から出力された音声データを、表示制御部１９により表示制御される映像データと同期をとりながらスピーカ２０に出力する。また、音声制御部１８は、アプリケーション実行制御部１７から出力された音声データが表示制御部１９により表示制御される映像データと同期可能である場合、この映像データと同期をとりながら音声データをスピーカ２０に出力する。
【００６５】
表示制御部１９は、第１分離部１２から出力された映像データを、音声制御部１８により出力制御される音声データと同期をとりながらディスプレイ２１に表示させる。また、表示制御部１９は、アプリケーション実行制御部１７から出力された映像データが音声制御部１８により出力制御される音声データと同期可能である場合、この音声データと同期をとりながら映像データをディスプレイ２１に表示させる。
【００６６】
メモリ２２は、ＥＩＴ等の番組コンテンツのメタ情報やその他各種情報を記憶する。
ＡＩＴ記憶部２３は、放送ＡＩＴ取得部１３及び通信ＡＩＴ取得部１６によって取得されたＡＩＴを記憶する。
【００６７】
さらに、信号監視部３１は、放送波受信部１１により受信している放送波を監視し、緊急信号を検出する。具体的には、信号監視部３１は、ＴＭＣＣキャリアを監視し、ＴＭＣＣキャリアに格納される緊急警報放送用起動フラグが１のとき、緊急信号として検出する。
【００６８】
通信コンテンツアクセス部３２は、ＶＯＤ配信サーバからＶＯＤコンテンツを受信するために、ＶＯＤコンテンツの取得要求を送信する。
【００６９】
通信コンテンツ受信部３３は、ＶＯＤ配信サーバが送信したＶＯＤコンテンツを受信する。
【００７０】
制御手段としてのアプリケーション実行制御部１７は、操作手段であるリモコンＲからの信号に基づいて、表示制御部１９がディスプレイ２１に提示している放送コンテンツから、通信コンテンツに切り替えて提示するように制御する。
具体的には、アプリケーション実行制御部１７は、表示制御部１９によりディスプレイ２１に放送番組を提示中に、リモコンＲからの信号を受け付けたことにより、放送番組に多重化されているアプリケーション管理情報（例えば、上述のＡＩＴに含まれる、ＶＯＤ配信サーバにアクセスするためのロケーション情報等）に基づいて通信コンテンツアクセス部３２によりＶＯＤ配信サーバにアクセスし、ＶＯＤを選択するためのメニューを通信コンテンツ受信部３３により受信し、受信したメニューを表示制御部１９がディスプレイ２１に提示するように、表示制御部１９を制御する。次に、アプリケーション実行制御部１７は、表示制御部１９が提示した当該メニューの中から選択されたことを示すリモコンＲからの信号を受けて、選択されたＶＯＤコンテンツを通信コンテンツアクセス部３２によりＶＯＤ配信サーバに要求し、要求したＶＯＤコンテンツを通信コンテンツ受信部３３により受信し、表示制御部１９が提示中の放送番組から、受信したＶＯＤコンテンツに切り替えてディスプレイ２１に提示するように表示制御部１９を制御する。
【００７１】
さらに、表示制御部１９は、放送番組からＶＯＤコンテンツに切り替えてディスプレイ２１に提示中に、切り替える前の放送局の放送波に含まれる緊急信号を信号監視部３１が検出したことに応じて、放送波に含まれる緊急警報放送をディスプレイ２１に提示する。例えば、表示制御部１９は、チャンネルＡの放送局からの放送番組の提示から、ＶＯＤ配信サーバからのＶＯＤコンテンツの提示に切り替えるように制御したとする。この場合、表示制御部１９がＶＯＤコンテンツをディスプレイ２１に提示中に、信号監視部３１は、チャンネルＡの放送局の緊急信号（ＴＭＣＣキャリア）を監視する。そして、アプリケーション実行制御部１７は、ＴＭＣＣキャリアに格納される緊急警報放送用起動フラグが１であることを信号監視部３１が検出したことに応じて、チャンネルＡの放送局の放送波に含まれる緊急警報放送をディスプレイ２１に提示する。
【００７２】
警報優先設定部３４は、緊急警報放送の表示を優先するための設定をする。具体的には、警報優先設定部３４は、リモコンＲからの、緊急警報放送の表示を優先することを示す信号に基づいて、緊急警報放送の表示を優先するフラグを１にセットし、メモリ２２に記憶させる。また、警報優先設定部３４は、緊急警報放送の表示を優先することを示すスイッチ（不図示）であっても良い。表示制御部１９は、警報優先設定部３４によって緊急警報放送の表示を優先する設定がされている場合にのみ、放送番組からＶＯＤに切り替えてディスプレイ２１に提示中に、切り替える前の放送局の放送波に含まれるＴＭＣＣ信号を信号監視部３１が検出したことに応じて、放送波に含まれる緊急警報放送をディスプレイ２１に提示する。また、表示制御部１９は、警報優先設定部３４によって緊急警報放送の表示を優先する設定がされていない場合、放送番組からＶＯＤに切り替えてディスプレイ２１に提示中に、切り替える前の放送局の放送波に含まれるＴＭＣＣ信号を信号監視部３１が検出しても、放送波に含まれる緊急警報放送をディスプレイ２１に提示しない。
【００７３】
表示制御部１９は、緊急信号を信号監視部３１が検出したことに応じて、放送波に含まれる緊急警報放送をディスプレイ２１に提示する際に、ＶＯＤコンテンツの送信を中断するように、アプリケーション実行制御部１７を制御する。具体的には、表示制御部１９は、アプリケーション実行制御部１７が通信コンテンツアクセス部３２によりＶＯＤコンテンツの中断要求をＶＯＤ配信サーバに送信するようにアプリケーション実行制御部１７を制御する。なお、表示制御部１９は、ＶＯＤコンテンツの受信を中断させずに、一定時間、受信したＶＯＤコンテンツを記憶させ、再開により、中断した箇所からＶＯＤコンテンツの表示を再開するタイムシフト再生を行う機能を有していても良い。
【００７４】
信号監視部３１は、緊急信号（ＯＮ状態）を検出した後に、当該緊急信号を検出しない状態（ＯＦＦ状態）をさらに検出し、表示制御部１９は、ＯＦＦ状態を信号監視部３１が検出したことに応じて、中断したＶＯＤコンテンツの送信を再開するようにアプリケーション実行制御部１７を制御する。具体的には、表示制御部１９は、アプリケーション実行制御部１７が通信コンテンツアクセス部３２によりＶＯＤコンテンツの再開要求をＶＯＤ配信サーバに送信するようにアプリケーション実行制御部１７を制御する。
【００７５】
また、アプリケーション実行制御部１７は、再開の操作を受け付けたリモコンＲが出力した信号に応じて、中断した通信コンテンツの送信を再開するように制御する。例えば、アプリケーション実行制御部１７は、リモコンＲからの再開信号に応じて、通信コンテンツアクセス部３２によりＶＯＤコンテンツの再開要求をＶＯＤ配信サーバに送信する。
【００７６】
図５は、本発明の一実施形態に係る信号処理装置４の処理内容を示すフローチャートである。図６は、図５に続くフローチャートである。例えば、信号処理装置４がチャンネルＡの放送局の放送番組を表示している場合の処理内容を示す。
【００７７】
ステップＳ１０１において、信号処理装置４（表示制御部１９）は、ディスプレイ２１にチャンネルＡの放送番組を表示する。信号処理装置４は、チャンネルＡをメモリ２２に記憶させる。
【００７８】
次に、ステップＳ１０２において、信号処理装置４（アプリケーション実行制御部１７）は、ＶＯＤが選択されたか否かを判断する。より具体的には、信号処理装置４は、視聴者が放送番組からＶＯＤに切り替えることを示す、リモコンＲからの切り替え信号を検出したか否かを判断する。信号処理装置４は、この判断がＹＥＳの場合、処理をステップＳ１０３に移し、ＮＯの場合、処理をステップＳ１０１に移す。
【００７９】
次に、ステップＳ１０３において、信号処理装置４（通信コンテンツアクセス部３２）は、チャンネルＡの放送局のＶＯＤ配信サーバにアクセスする。より具体的には、信号処理装置４は、チャンネルＡの放送局からのＡＩＴに含まれる、ＶＯＤ配信サーバにアクセスするためのロケーションに基づいてＶＯＤ配信サーバにアクセスする。
【００８０】
次に、ステップＳ１０４において、信号処理装置４（アプリケーション実行制御部１７、通信コンテンツ受信部３３、表示制御部１９）は、ＶＯＤ配信サーバからコンテンツを選択するための選択メニューを受信し、表示する。より具体的には、信号処理装置４は、放送番組を表示している画面の中に、選択メニューを表示する領域を設定し、受信した選択メニューを表示する。
【００８１】
次に、ステップＳ１０５において、信号処理装置４（アプリケーション実行制御部１７）は、ＶＯＤコンテンツの選択を受け付ける。より具体的には、信号処理装置４は、視聴者が選択メニューからＶＯＤコンテンツを選択したことを示すリモコンＲからの選択信号を受け付ける。
【００８２】
次に、ステップＳ１０６において、信号処理装置４（通信コンテンツアクセス部３２）は、ＶＯＤ配信サーバにＶＯＤコンテンツの配信要求を送信する。
【００８３】
次に、ステップＳ１０７において、信号処理装置４（アプリケーション実行制御部１７、表示制御部１９）は、放送番組の表示からＶＯＤコンテンツの表示に切り替える。
【００８４】
次に、ステップＳ１０８において、信号処理装置４（アプリケーション実行制御部１７、通信コンテンツ受信部３３、表示制御部１９）は、ＶＯＤ配信サーバから配信されたＶＯＤコンテンツを受信し、表示する。
【００８５】
次に、ステップＳ１０９において、信号処理装置４（アプリケーション実行制御部１７）は、放送表示が選択されたか否かを判断する。より具体的には、信号処理装置４は、視聴者がＶＯＤから放送番組に切り替えることを示す、リモコンＲからの切り替え信号を検出したか否かを判断する。信号処理装置４は、この判断がＹＥＳの場合、処理をステップＳ１０１に移し、ＮＯの場合、処理をステップＳ１１０に移す。
【００８６】
次に、ステップＳ１１０において、信号処理装置４（信号監視部３１）は、ステップＳ１０１で記憶した放送局（チャンネルＡ）の緊急信号を監視する。より具体的には、信号処理装置４は、ステップＳ１０１で記憶した放送局（チャンネルＡ）のＴＭＣＣキャリアに格納される緊急警報放送用起動フラグを監視する。
【００８７】
次に、ステップＳ１１１において、信号処理装置４（信号監視部３１、表示制御部１９）は、緊急警報放送用起動フラグが１であるか否かを判断する。信号処理装置４は、この判断がＹＥＳの場合、処理をステップＳ１１２に移し、ＮＯの場合、処理をステップＳ１０８に移す。
【００８８】
ステップＳ１１２において、信号処理装置４（アプリケーション実行制御部１７）は、緊急警報放送の表示を優先するための設定がされているか否かを判断する。より具体的には、信号処理装置４は、メモリ２２を参照し、緊急警報放送の表示を優先するフラグが１にセットされているか否かを判断する。なお、信号処理装置４（警報優先設定部３４）は、別途、視聴者が緊急警報放送の表示を優先するための設定を行ったことを示す、リモコンＲからの信号に基づき、メモリ２２に緊急警報放送の表示を優先するフラグを１にセットする。信号処理装置４（アプリケーション実行制御部１７）は、この判断がＹＥＳの場合、処理をステップＳ１１３に移し、ＮＯの場合、処理をステップＳ１０８に移す。
【００８９】
ステップＳ１１３において、信号処理装置４（アプリケーション実行制御部１７、表示制御部１９、通信コンテンツアクセス部３２）は、ＶＯＤコンテンツの表示を中断する。より具体的には、信号処理装置４は、ＶＯＤコンテンツの表示を中断するために、ＶＯＤ配信サーバに中断要求を送信する。
【００９０】
次に、ステップＳ１１４において、信号処理装置４（表示制御部１９）は、ステップＳ１０１で記憶した放送局（チャンネルＡ）の放送波に含まれる緊急警報放送をディスプレイ２１に表示する。
【００９１】
次に、ステップＳ１１５において、信号処理装置４（信号監視部３１、表示制御部１９、）は、緊急信号がＯＦＦか否かを判断する。より具体的には、信号処理装置４は、ステップＳ１０１で記憶した放送局（チャンネルＡ）のＴＭＣＣキャリアに格納される緊急警報放送用起動フラグを監視し、緊急警報放送用起動フラグが０であるか否かを判断する。信号処理装置４は、この判断がＹＥＳの場合、処理をステップＳ１１６に移し、ＮＯの場合、処理をステップＳ１１４に移す。
【００９２】
次に、ステップＳ１１６において、信号処理装置４（アプリケーション実行制御部１７、表示制御部１９）は、中断したＶＯＤコンテンツの表示を再開する。より具体的には、信号処理装置４は、ＶＯＤコンテンツの表示を再開するために、ＶＯＤ配信サーバに再開要求を送信し、制御をステップＳ１０８に移す。
【００９３】
図７は、本発明の一実施形態に係る信号処理装置４による表示の例を示す図である。図７に示す表示の例は、信号処理装置４が、放送番組をＶＯＤに切り替えてディスプレイ２１に表示中に、切り替える前の放送局の放送波に含まれる緊急信号を検出したことに応じて、ＶＯＤコンテンツを表示したままで、放送波に含まれる緊急警報放送をディスプレイ２１に表示している例である。すなわち、上述のステップＳ１１４の工程の処理に対応する表示の例である。
【００９４】
図８は、本発明の一実施形態に係る信号処理装置４による表示の別の例を示す図である。図８に示す表示の例は、信号処理装置４が、放送番組をＶＯＤに切り替えてディスプレイ２１に表示中に、切り替える前の放送局の放送波に含まれる緊急信号を検出したことに応じて、ディスプレイ２１上の表示画面を分割し、ＶＯＤコンテンツを一方の表示画面に表示し、放送波に含まれる緊急警報放送を他方の表示画面に表示している例である。
【００９５】
本実施形態によれば、信号処理装置４は、リモコンＲからの信号に基づいて、ディスプレイ２１に表示している放送番組から、ＡＩＴに基づいてＶＯＤコンテンツに切り替えてディスプレイ２１に表示中に、切り替える前の放送局の放送波に含まれるＴＭＣＣキャリアの緊急警報放送用起動フラグを検出したことに応じて、放送波に含まれる緊急警報放送をディスプレイ２１に表示する。さらに、信号処理装置４は、緊急警報放送の表示を優先する設定がされている場合にのみ、緊急警報放送をディスプレイ２１に表示する。さらに、信号処理装置４は、ＶＯＤコンテンツの表示を中断して、緊急警報の表示をし、中断したＶＯＤコンテンツの表示を、緊急信号のＯＦＦにより自動で、再開する。また、信号処理装置４は、中断したＶＯＤコンテンツの表示を、視聴者の操作により、再開する。
したがって、信号処理装置４は、放送番組からＶＯＤに切り替えて、ＶＯＤコンテンツが視聴されているときに、切り替える前の放送局の放送波に含まれる緊急信号を検出したことを条件として、緊急警報の表示を行うことができ、さらに緊急警報放送の表示を優先する設定がされていない場合、録画視聴時にはＶＯＤのみを表示可能とすることもできる。
【００９６】
なお、本実施例では、緊急警報放送は、ＴＭＣＣキャリアによって伝送されると説明したが、これに限られず、ＡＣ（Ａｕｘｉｌｉａｒｙ  Ｃｈａｎｎｅｌ）キャリアや、ＴＳ（イベントメッセージ）に多重化等されて伝送されても良い。
【００９７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００９８】
なお、本実施例では、主に信号処理装置の構成と動作について説明したが、これに限られず、各構成要素を備え、放送番組からＶＯＤに切り替えて、ＶＯＤが視聴されているときに、緊急警報が放送波に重畳されてきた場合において、一定条件下に、緊急警報の表示を行うための方法、及びプログラムとして構成されても良い。
【００９９】
さらに、信号処理装置の機能を実現するためのプログラムをコンピュータで読み取り可能な記録媒体に記録して、この記録媒体に記録されたプログラムをコンピュータシステムに読み込ませ、実行することによって実現しても良い。
【０１００】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１０１】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また、上記プログラムは、前述した機能の一部を実現するためのものであっても良く、さらに前述した機能をコンピュータシステムにすでに記録されているプログラムとの組み合わせで実現できるものであっても良い。
【符号の説明】
【０１０２】
１    放送局
２    放送用アンテナ
３    サービスサーバ
４    信号処理装置
１１  放送波受信部
１２  第１分離部
１３  放送ＡＩＴ取得部
１４  通信部
１５  第２分離部
１６  通信ＡＩＴ取得部
１７  アプリケーション実行制御部
１８  音声制御部
１９  表示制御部
２０  スピーカ
２１  ディスプレイ
２２  メモリ
２３  ＡＩＴ記憶部
３１  信号監視部
３２  通信コンテンツアクセス部
３３  通信コンテンツ受信部
３４  警報優先設定部
Ｒ    リモコン
【図１】
2012157739.tif 000003
【図２】
2012157739.tif 000004
【図３】
2012157739.tif 000005
【図４】
2012157739.tif 000006
【図５】
2012157739.tif 000007
【図６】
2012157739.tif 000008
【図７】
2012157739.tif 000009
【図８】
2012157739.tif 000010
【国際調査報告】
2012157739.tif 000011
2012157739.tif 000012
2012157739.tif 000013